(57)【特許請求の範囲】
【請求項１】
筐体の底面に底板を有し、前記底板の上面にベースヒータが配置され、前記底板の上部に熱交換器が固定される空気調和機の室外機において、前記底板を切り起こして形成される切り起こし片と、前記切り起こし片を切り起こしてできるドレン水を排水するための排出口となる開口部とを備え、前記切り起こし片は前記底板の上面から所定の高さで前記開口部の反対方向に折り曲げられるとともに前記開口部から所定の距離を隔てた位置に形成され前記ベースヒータを固定する固定部を有し、前記開口部は前記切り起こし片より前記熱交換器に近い位置に形成されることを特徴とする空気調和機の室外機。
【請求項２】
前記底板と前記底板に対向する前記切り起こし片の先端側の間に前記ベースヒータを前記固定部に挿入するための挿入路が形成されることを特徴とする請求項１に記載の空気調和機の室外機。
【請求項３】
前記開口部は人の指が挿入できない大きさの長方形状に形成され、その短辺が前記切り起こし片と隣接していることを特徴とする請求項１に記載の空気調和機の室外機。
【請求項４】
前記切り起こし片の先端側に螺子を挿通するための螺子孔が形成されることを特徴とする請求項１に記載の空気調和機の室外機。
【発明の詳細な説明】
【技術分野】
【０００１】
本発明は、底板にドレン水の凍結を防止するベースヒータを備えた空気調和機の室外機に関する。
【背景技術】
【０００２】
ヒートポンプ式の空気調和機では、暖房運転時に蒸発器として機能する室外機の熱交換器に外気中の水分が霜となって着霜することがある。熱交換器が着霜した状態で暖房運転が行われると熱交換能力の低下を招くため、熱交換器に着霜した霜を取り除く除霜運転が行われるようになっている。
【０００３】
除霜運転が行われると、熱交換器に着霜していた霜が融け、熱交換器から室外機の底板に滴下してドレン水となって底板から室外機の外部へ底板に設けられた排出口を通って排出される。しかし、寒冷地などの低外気温下で使用される室外機では、ドレン水が室外機の外部へ排出される前に底板上で再凍結してしまい、ドレン水を排出できないまま凍結した氷が成長すると、氷がファンと接触するなどして空気調和機が運転できなくなる場合がある。
【０００４】
そこで低外気温下で使用される空気調和機の室外機では、底板上にベースヒータを配置し、ベースヒータに通電して発熱させることで底板を暖めてドレン水の再凍結を防止するようになっている。
【０００５】
このような空気調和機の室外機において、ベースヒータは底板を暖めやすいように底板の上面に接触した状態で固定されることが望ましい。このため底板の上面に折り曲げて配置されるベースヒータの平行に配置された部分を、固定具の左右に設けられた凹部でそれぞれ囲いながら底板の上面に押し付けて固定することができる空気調和機の室外機が知られている。（例えば、特許文献１参照）。
【先行技術文献】
【特許文献】
【０００６】
【特許文献１】特開２００４−６９２２０号公報（第３〜４頁、図１）
【発明の概要】
【発明が解決しようとする課題】
【０００７】
しかし、特許文献１の空気調和機の室外機は、室外機の運転や運搬による振動等が生じた際に、ベースヒータが所定の位置から逸脱したり、底板の上面から浮き上がらないようにするためには、複数の別部品の固定具を設けなければならないという問題があった。
【０００８】
更に底板に設けられる排出口は、一般的に人の指が入ってベースヒータや熱交換器に接触することを防止するために、人の指が挿入できない程度に小さくする必要があることから、小さい穴径の排出口を数多く設けなければドレン水の排水を良くすることが難しいという問題もあった。
【０００９】
本発明は以上述べた問題点を解決し、固定具を不要とすることができ、かつドレン水の排水の排水量を確保することができる空気調和機の室外機を提供することを目的とする。
【課題を解決するための手段】
【００１０】
上述した課題を解決するために本発明は、本発明の請求項１に記載の発明は、筐体の底面に底板を有し、前記底板の上面にベースヒータが配置され、前記底板の上部に熱交換器が固定される空気調和機の室外機において、前記底板を切り起こして形成される切り起こし片と、前記切り起こし片を切り起こしてできるドレン水を排水するための排出口となる開口部とを備え、前記切り起こし片は前記底板の上面から所定の高さで前記開口部の反対方向に折り曲げられるとともに前記開口部から所定の距離を隔てた位置に形成され前記ベースヒータを固定する固定部を有し、前記開口部は前記切り起こし片より前記熱交換器に近い位置に形成されることを特徴とする。
【００１１】
また、本発明の請求項２に記載の発明は、前記底板と前記底板に対向する前記切り起こし片の先端側の間に前記ベースヒータを前記固定部に挿入するための挿入路が形成されることを特徴とする。
【００１２】
また、本発明の請求項３に記載の発明は、前記開口部は人の指が挿入できない大きさの長方形状に形成され、その短辺が前記切り起こし片と隣接していることを特徴とする。
【００１４】
また、本発明の請求項４に記載の発明は、前記切り起こし片の先端側に螺子を挿通するための螺子孔が形成されることを特徴とする。
【発明の効果】
【００１５】
本発明の空気調和機の室外機によれば、ベースヒータを底板上に固定するための固定具を不要とすることができるため、室外機の部品コストを低減することができる。また、開口部を切り起こし片よりも熱交換器に近い位置に細長く形成するため、ドレン水の排水量を確保することができる。
【図面の簡単な説明】
【００１６】
【図１】本発明による空気調和機の室外機の構成を示す分解斜視図である。
【図２】本発明による底板の切り起こしを示す斜視図である。
【図３】本発明による底板に形成された固定部の断面図である。
【図４】本発明による底板と底板の上面に固定されたベースヒータを示す平面図である。
【発明を実施するための形態】
【００１７】
以下、本発明の実施の形態を、添付図面に基づいた実施例として詳細に説明する。なお、本発明は以下の実施形態に限定されることなく、本発明の主旨を逸脱しない範囲で種々変形することが可能である。
【００１８】
図１は本発明による空気調和機の室外機の構成を示す分解斜視図である。空気調和機の室外機１００は、前面パネル５００、左側面パネル３００、右側面パネル４００、天井パネル６００、底板２００、リアガード７００によって形成された箱状の筐体を備えている。
【００１９】
室外機１００の内部は、底板２００に固定された仕切板５により、仕切板５を挟んで左側の熱交換室８００と、右側の機械室９００に区画されており、熱交換室８００側には、左側面パネル３００とリアガード７００に沿ってＬ字形状に形成された熱交換器２と、送風ファン３、ファンモータ３１、ベースヒータ６を備えている。一方、機械室９００側には、圧縮機１、および四方弁、膨張弁等の配管部品（いずれも図示を省略）と、室外機１００を制御する基板を格納した電装品箱４を備えている。
【００２０】
図２は、本発明による底板２００の切り起こし片２１０Ａ，２１０Ｂと開口部２２０を示す斜視図である。底板２００は、底板２００を長方形状に切り起こした切り起こし片２１０Ａ，２１０Ｂと、ドレン水を底板２００から排水する排水口であり、底板２００から切り起こし片２１０Ａ，２１０Ｂが切り起こされてできる開口部２２０を備えている。なお、図２では後述する螺子孔が無い切り起こし片２１０Ａと螺子孔が有る切り起こし片２１０Ｂを用いて説明する。
【００２１】
切り起こし片２１０Ａ，２１０Ｂには、底板２００の上面から上方向に所定の高さＬ３（たとえば５ｍｍ）で排出口２２０側の反対方向に折り曲げた折り返し部２１１が形成される。
【００２２】
また、切り起こし片２１０Ａ，２１０Ｂには、開口部２２０から所定の距離Ｌ４（たとえば１５ｍｍ）を隔てた位置にベースヒータ６を底板２００の上面に固定する固定部２１２が形成され、固定部２１２の先端側には先端部２１３または先端部２１４が形成される。なお、切り起こし片２１０Ｂの先端部２１４には、ベースヒータ６を底板２００の上面に固定するための、後述する螺子を挿通させる螺子孔２５０が形成される。
【００２３】
開口部２２０は、切り起こし片２１０Ａ，２１０Ｂと隣り合う辺の長さＬ１よりも、切り起こし片２１０Ａ，２１０Ｂから開口部２２０側の方向に伸びる辺の長さＬ２の方が長い長方形状に形成されている。なお、この長方形状は、外側から人の指が挿入できないように短辺の長さＬ１がたとえば１０ｍｍとなっている。また、開口部２２０の開口面積を確保し底板２００上のドレン水の排水性を良くするために、長辺の長さＬ２はたとえば３０ｍｍとなっている。
【００２４】
図３は、本発明による底板に形成された切り起こし片２１０Ａと２１０Ｂの断面図である。切り起こし片２１０Ａ，２１０Ｂの先端部２１３，２１４と、同先端部２１３，２１４の下方側に対向する底板２００の間には、ベースヒータ６を固定部２１２に挿入するための隙間である挿入路２４０が形成され、挿入路２４０からベースヒータ６を固定部２１２に導くことが出来る。
【００２５】
底板２００は板金のプレス成形品であり、室外機１００の内部に備えられている圧縮機１などを固定して保持する強度が得られる所定の板厚を有しており、ベースヒータ６を挿入路２４０から固定部２１２に挿入する際に、切り起こし片２１０Ａ，２１０Ｂを変形させて挿入路２４０を広げることが難しい。このため、切り起こし片２１０Ａ，２１０Ｂの折り返し部２１１は底板２００の上面から所定の高さＬ３で折り曲げられ、開口部２２０から所定の長さＬ４を隔てた位置に固定部２１２を形成することで、開口部２２０から固定部２３０までの距離を一定の距離（Ｌ３＋Ｌ４）隔てるようにして、先端部２１３，２１４を上方に変形させ易くしている。
【００２６】
また、切り起こし片２１０Ｂの先端部２１４に形成される螺子孔２５０は、固定部２３０にベースヒータ６を挿入した後に、螺子２６０を挿通するために設けられており、螺子２６０を挿通することで、切り起こし片２１０Ｂは切り起こし片２１０Ａよりも確実にベースヒータ６を固定部２１２と底板２００の上面の間に固定することができる。
【００２７】
なお、図２と図３で説明したように、開口部２２０の長辺Ｌ２を短辺Ｌ１よりも長くすることにより、切り起こし片２１０Ａ，２１０Ｂも長くすることができるため、固定部２１２、螺子孔２５０及び、開口部２２０から固定部２１２までの距離（Ｌ３＋Ｌ４）を設ける十分な長さを確保できる。
【００２８】
図４は、本発明による底板２００と底板の上面に固定されたベースヒータ６を示す平面図である。熱交換室側の底板２００には、複数の切り起こし片２１０Ａと開口部２２０が形成され、枠状に折り曲げて形成されたベースヒータ６を各切り起こし片２１０Ａの固定部２１２にそれぞれ挿入することで、ベースヒータ６を底板２００に固定できる。また、底板２００の上面に滴下したドレン水を各開口部２２０から排水できるようになっている。
【００２９】
なお、図２と図３で説明した開口部２２０のうち、図１で説明した室外機１００のリアガード７００側と左側面パネル３００側に沿ってＬ字形状に形成された熱交換器２の近傍に形成される図４の開口部２２０Ｃは、熱交換器２から底板２００の上面に滴下したドレン水を効率良く排水できるように、切り起こし片２１０Ａよりも熱交換器２に近い位置に形成される。
【００３０】
図２から図４で説明したように、底板２００を切り起こし、切り起こし片２１０Ａと開口部２２０を形成することにより、ベースヒータ６を底板２００の上に固定するための固定具が不要となるため、室外機１００の部品コストを低減することができる。また、開口部２２０Ｃを切り起こし片２１０Ａよりも熱交換器２に近い位置に形成し、ドレン水を効率良く排水するとともに、開口部２２０を細長く形成し円形に形成するよりも開口面積を広げることで、ドレン水の排水量を確保することができる。
【符号の説明】
【００３１】
１  圧縮機
２  熱交換器
３  送風ファン
３１  ファンモータ
４  電装品箱
５  仕切板
６  ベースヒータ
１００  室外機
２００  底板
２１０Ａ，２１０Ｂ  切り起こし片
２１１  折り返し部
２１２  固定部
２１３，２１４  先端部
２２０，２２０Ｃ  開口部
２４０  挿入路
２５０  螺子孔
２６０  螺子
３００  左側面パネル
４００  右側面パネル
５００  前面パネル
６００  天井パネル
７００  リアガード
８００  熱交換室
９００  機械室
【図１】
0006493023.tif 000002
【図２】
0006493023.tif 000003
【図３】
0006493023.tif 000004
【図４】
0006493023.tif 000005